【手続補正書】
【提出日】令和1年12月19日(2019.12.19)
【手続補正１】
【補正対象書類名】特許請求の範囲
【補正対象項目名】全文
【補正方法】変更
【補正の内容】
【特許請求の範囲】
【請求項１】
１つのフレームに入力されるＲ、Ｇ、Ｂ映像データに基づいて前記フレームの映像のコントラスト（ｃｏｎｔｒａｓｔ）及びロード（ｌｏａｄ）を算出する映像判断部と、
前記コントラスト及び前記ロードに基づいてピーク輝度を適応的に制御するためにＷ映像データに適用されるピーク制御係数を調節し、前記Ｒ、Ｇ、Ｂ映像データの各々から前記Ｗ映像データに前記ピーク制御係数を掛けた値を差し引きしてＲ’、Ｇ’、Ｂ’、Ｗ映像データを生成する映像処理部と、
複数の画素を含む表示パネルと、
前記Ｒ’、Ｇ’、Ｂ’、Ｗ映像データに基づいてデータ信号を生成し、前記データ信号を前記表示パネルに提供するデータ駆動部と、
スキャン信号を前記表示パネルに提供するスキャン駆動部と、を備え、
前記コントラストは、１つのフレームで、予め設定された第１しきい値よりも小さい低階調区間を有する多数の画素と、予め設定された第２しきい値よりも大きい高階調区間を有する多数の画素との割合であり、
前記ロードは、フル−ホワイト映像の信号レベルに対する現在フレームの平均信号レベルの割合であることを特徴とする表示装置。
【請求項２】
前記ピーク制御係数が減少するほど前記ピーク輝度が増加することを特徴とする請求項１に記載の表示装置。
【請求項３】
前記コントラストが前記予め設定された第１しきい値よりも小さい場合、又は前記ロードが前記予め設定された第２しきい値よりも大きい場合、前記映像判断部は、前記フレームの映像を一般映像と判断し、
前記コントラストが前記第１しきい値よりも大きく、前記ロードが前記第２しきい値よりも小さい場合、前記映像判断部は、前記フレームの映像を前記ピーク輝度の増加を必要とするピーク映像と判断することを特徴とする請求項１に記載の表示装置。
【請求項４】
前記映像判断部は、
前記Ｒ、Ｇ、Ｂ映像データのヒストグラムに基づいて前記コントラスト及び前記ロードを算出する算出部と、
前記コントラストと前記第１しきい値とを比較し、前記ロードと前記第２しきい値とを比較する比較部と、を含むことを特徴とする請求項３に記載の表示装置。
【請求項５】
前記映像処理部は、
前記コントラストに対応するピーク制御係数を決定する係数決定部と、
前記Ｒ、Ｇ、Ｂ映像データの各々の階調レベルのうちの最小値に基づいて前記Ｗ映像データを生成し、前記Ｒ、Ｇ、Ｂ映像データの各々から前記Ｗ映像データに前記ピーク制御係数を掛けた値を差し引きして前記Ｒ’、Ｇ’、Ｂ’映像データを生成するデータ変換部と、を含むことを特徴とする請求項３に記載の表示装置。
【請求項６】
前記フレームの映像が前記一般映像の場合、前記係数決定部は、前記ピーク制御係数を１に決定し、
前記フレームの映像が前記ピーク映像の場合、前記係数決定部は、前記コントラストに基づいて前記ピーク制御係数を０以上であって１未満である範囲内の実数に決定することを特徴とする請求項５に記載の表示装置。
【請求項７】
前記フレームの映像が前記ピーク映像の場合、前記ピーク制御係数は、前記コントラストに拘らず同一の値を有することを特徴とする請求項６に記載の表示装置。
【請求項８】
前記フレームの映像が前記ピーク映像の場合、前記ピーク制御係数は、前記コントラストが増加するにつれて階段関数的に減少することを特徴とする請求項６に記載の表示装置。
【請求項９】
前記フレームの映像が前記ピーク映像の場合、前記ピーク制御係数は、前記コントラストが増加するにつれて線形的に減少することを特徴とする請求項６に記載の表示装置。
【請求項１０】
前記フレームの映像が前記ピーク映像の場合、前記ピーク制御係数は、前記階調レベルが増加するにつれて階段関数的に減少することを特徴とする請求項６に記載の表示装置。
【請求項１１】
第１階調区間に対応する第１ピーク輝度は、前記第１階調区間よりも大きい第２階調区間に対応する第２ピーク輝度よりも小さいことを特徴とする請求項６に記載の表示装置。
【請求項１２】
前記データ変換部は、
前記Ｒ、Ｇ、Ｂ映像データの各々の階調レベルのうちの最小値を選択して前記Ｗ映像データを生成する最小値選択部と、
前記ピーク制御係数を前記Ｗ映像データの各々に掛けてＷ’映像データを生成する係数適用部と、
前記Ｒ、Ｇ、Ｂ映像データの各々から前記Ｗ’映像データを差し引きして前記Ｒ’、Ｇ’、Ｂ’映像データを各々生成する差し引き部と、を含むことを特徴とする請求項５に記載の表示装置。
【請求項１３】
前記Ｒ、Ｇ、Ｂ映像データの各々に適用される前記ピーク制御係数は、互いに同一であることを特徴とする請求項５に記載の表示装置。
【請求項１４】
前記Ｒ、Ｇ、Ｂ映像データの各々に適用される前記ピーク制御係数のうちの少なくとも１つは、相違することを特徴とする請求項５に記載の表示装置。
【請求項１５】
前記映像判断部は、予め設定された画素ブロックに表示される映像がピーク映像であるか否かを判断し、
前記ピーク制御係数は、前記画素ブロック別に独立的に算出されることを特徴とする請求項３に記載の表示装置。
【請求項１６】
前記表示パネルの周辺の照度を検出する照度センサーと、
前記表示パネルの周辺の照度に基づいて前記Ｗ映像データに追加的に適用されるサブ（ｓｕｂ）ピーク制御係数を決定し、前記サブピーク制御係数を前記映像処理部に提供するピーク制御部を更に含むことを特徴とする請求項３に記載の表示装置。
【請求項１７】
前記表示パネルの周辺の照度が予め設定された臨界照度よりも大きい場合、前記ピーク制御部は、前記表示パネルの周辺の照度が増加するにつれて前記サブピーク制御係数を予め設定された間隔で減少させ、
前記映像処理部は、前記Ｒ、Ｇ、Ｂ映像データの各々から前記Ｗ映像データに前記ピーク制御係数及び前記サブピーク制御係数を掛けた値を差し引きしてＲ’、Ｇ’、Ｂ’映像データを生成することを特徴とする請求項１６に記載の表示装置。
【請求項１８】
前記表示パネルの温度を検出する温度センサーと、
前記表示パネルの温度に基づいて前記Ｗ映像データに追加的に適用されるサブ（ｓｕｂ）ピーク制御係数を決定し、前記サブピーク制御係数を前記映像処理部に提供するピーク制御部を更に含むことを特徴とする請求項３に記載の表示装置。
【請求項１９】
前記表示パネルの温度が予め設定された臨界温度よりも低い場合、前記ピーク制御部は、前記表示パネルの温度が低下するにつれて前記サブピーク制御係数を予め設定された間隔で減少させ、
前記映像処理部は、前記Ｒ、Ｇ、Ｂ映像データの各々から前記Ｗ映像データに前記ピーク制御係数及び前記サブピーク制御係数を掛けた値を差し引きしてＲ’、Ｇ’、Ｂ’映像データを生成することを特徴とする請求項１８に記載の表示装置。
【請求項２０】
前記フレームの映像が前記ピーク映像の場合、前記映像判断部は、前記Ｒ、Ｇ、Ｂ映像データに基づいて映像全体の彩度和を更に算出することを特徴とする請求項３に記載の表示装置。
【請求項２１】
前記彩度和と予め設定された第３しきい値とを比較して前記Ｗ映像データに追加的に適用されるサブ（ｓｕｂ）ピーク制御係数を決定し、前記サブピーク制御係数を前記映像処理部に提供するピーク制御部を更に含むことを特徴とする請求項２０に記載の表示装置。
【請求項２２】
前記彩度和が前記第３しきい値よりも小さい場合、前記ピーク制御部は、前記彩度和が減少するにつれて前記サブピーク制御係数を予め設定された間隔で減少させ、
前記映像処理部は、前記Ｒ、Ｇ、Ｂ映像データの各々から前記Ｗ映像データに前記ピーク制御係数及びサブピーク制御係数を掛けた値を差し引きしてＲ’、Ｇ’、Ｂ’映像データを生成することを特徴とする請求項２１に記載の表示装置。
【請求項２３】
表示装置のピーク輝度を制御する方法であって、
１つのフレームに入力されるＲ、Ｇ、Ｂ映像データに基づいて前記フレームの映像のコントラスト（ｃｏｎｔｒａｓｔ）及びロード（ｌｏａｄ）を算出するステップと、
前記コントラスト及び前記ロードに基づいてピーク輝度を適応的に制御するためのピーク制御係数を決定するステップと、
前記Ｒ、Ｇ、Ｂ映像データの各々の階調レベルのうちの最小値に基づいてＷ映像データを生成するステップと、
前記Ｒ、Ｇ、Ｂ映像データの各々から前記Ｗ映像データに前記ピーク制御係数を掛けた値を差し引きして前記Ｒ’、Ｇ’、Ｂ’映像データを生成するステップと、
前記Ｒ’、Ｇ’、Ｂ’、Ｗ映像データに基づいてデータ信号を生成するステップと、を有し、
前記コントラストは、１つのフレームで、予め設定された第１しきい値よりも小さい低階調区間を有する多数の画素と、予め設定された第２しきい値よりも大きい高階調区間を有する多数の画素との割合であり、
前記ロードは、フル−ホワイト映像の信号レベルに対する現在フレームの平均信号レベルの割合であることを特徴とするピーク輝度制御方法。
【請求項２４】
前記ピーク制御係数が減少するほど前記ピーク輝度が増加することを特徴とする請求項２３に記載のピーク輝度制御方法。
【請求項２５】
前記ピーク制御係数を決定するステップは、
前記コントラストが予め設定された第１しきい値よりも小さい場合、又は前記ロードが予め設定された第２しきい値よりも大きい場合、前記フレームの映像を一般映像と判断するステップと、
前記フレームの映像が前記一般映像の場合、前記ピーク制御係数を１に決定するステップと、含むことを特徴とする請求項２３に記載のピーク輝度制御方法。
【請求項２６】
前記ピーク制御係数を決定するステップは、
前記コントラストが前記第１しきい値よりも大きく、前記ロードが前記第２しきい値よりも小さい場合、前記フレームの映像を前記ピーク輝度の増加を必要とするピーク映像と判断するステップと、
前記フレームの映像が前記ピーク映像の場合、前記コントラストに基づいて前記ピーク制御係数を０以上であって１未満である範囲内の実数に決定するステップと、を更に含むことを特徴とする請求項２５に記載のピーク輝度制御方法。
【請求項２７】
前記フレームの映像が前記ピーク映像の場合、前記ピーク制御係数は、前記コントラストに拘らず同一の値を有するか、又は前記コントラストが増加するにつれて階段関数的に減少することを特徴とする請求項２６に記載のピーク輝度制御方法。
【請求項２８】
１つのフレームに入力されるＲ、Ｇ、Ｂ映像データに基づいて前記フレームの映像のコントラスト（ｃｏｎｔｒａｓｔ）及びロード（ｌｏａｄ）を算出する映像判断部と、
前記コントラスト及び前記ロードに基づいてピーク輝度を適応的に制御するためにＷ映像データに適用されるピーク制御係数を調節し、前記ピーク制御係数に基づいて前記Ｒ、Ｇ、Ｂ映像データをＲ’、Ｇ’、Ｂ’、Ｗ映像データに変換する映像処理部と、
複数の画素を含む表示パネルと、
前記表示パネルの周辺の照度を検出する照度センサーと、
前記表示パネルの周辺の照度に基づいて前記Ｗ映像データに追加的に適用される第１サブ（ｓｕｂ）ピーク制御係数を決定し、前記第１サブピーク制御係数を前記映像処理部に提供する第１ピーク制御部と、
前記表示パネルの温度を検出する温度センサーと、
前記表示パネルの温度に基づいて前記Ｗ映像データに追加的に適用される第２サブピーク制御係数を決定し、前記第２サブピーク制御係数を前記映像処理部に提供する第２ピーク制御部と、
複数の画素を含む表示パネルと、
前記Ｒ’、Ｇ’、Ｂ’、Ｗ映像データに基づいてデータ信号を生成し、前記データ信号を前記表示パネルに提供するデータ駆動部と、
前記表示パネルにスキャン信号を提供するスキャン駆動部と、を備え、
前記コントラストは、１つのフレームで、予め設定された第１しきい値よりも小さい低階調区間を有する多数の画素と、予め設定された第２しきい値よりも大きい高階調区間を有する多数の画素との割合であり、
前記ロードは、フル−ホワイト映像の信号レベルに対する現在フレームの平均信号レベルの割合であることを特徴とする表示装置。
【請求項２９】
前記コントラストが予め設定された第１しきい値よりも小さい場合、又は前記ロードが予め設定された第２しきい値よりも大きい場合、前記映像判断部は、前記フレームの映像を一般映像と判断し、
前記コントラストが前記第１しきい値よりも大きく、前記ロードが第２しきい値よりも小さい場合、前記映像判断部は、前記フレームの映像を前記ピーク輝度の増加を必要とするピーク映像と判断することを特徴とする請求項２８に記載の表示装置。
【請求項３０】
ピーク輝度の増加を必要とするピーク映像及び一般映像を含み、１つのフレームに入力されるＲ、Ｇ、Ｂ映像データに基づいて生成される前記フレームの映像のコントラスト及びロードに応じて決定される前記フレームの映像特性を決定する映像判断部と、
前記映像判断部から前記コントラスト及び前記フレームの映像特性を受信してＲ’、Ｇ’、Ｂ’、Ｗ映像データを生成する映像処理部と、
複数の画素を含む表示パネルと、
前記Ｒ’、Ｇ’、Ｂ’、Ｗ映像データに基づいてデータ信号を生成し、前記データ信号を前記表示パネルに提供するデータ駆動部と、
前記表示パネルにスキャン信号を提供するスキャン駆動部と、を備え、
前記コントラストは、１つのフレームで、予め設定された第１しきい値よりも小さい低階調区間を有する多数の画素と、予め設定された第２しきい値よりも大きい高階調区間を有する多数の画素との割合であり、
前記ロードは、フル−ホワイト映像の信号レベルに対する現在フレームの平均信号レベルの割合であり、
前記Ｗ映像データＷは、Ｒ画像データＲ、Ｇ画像データＧ、及びＢ画像データＢのうちの最小値に対応し、
前記Ｒ’、Ｇ’、Ｂ’映像データは、ＰＣＣがピーク制御係数を表す場合、（Ｒ−Ｗ＊ＰＣＣ）、（Ｇ−Ｗ＊ＰＣＣ）、及び（Ｗ＊ＰＣＣ）にそれぞれ対応し、
前記フレームの映像特性が前記一般映像の場合にＰＣＣは１であり、前記フレームの映像特性が前記ピーク映像の場合にＰＣＣは０以上であって１未満であり、
前記フレーのム映像特性が前記ピーク映像の場合、前記コントラストが増加するにつれてＰＣＣが減少することを特徴とする表示装置。
【請求項３１】
前記表示パネルの周辺の照度を検出する照明センサーと、
前記表示パネルの周辺の照度に基づいてサブピーク制御係数を決定し、前記サブピーク制御係数を前記映像処理部に提供するピーク制御部と、を更に備え、
前記フレームの映像特性が前記ピーク映像の場合、前記サブピーク制御係数は、前記表示パネルの周辺の照度が増加するにつれて減少し、
前記ＰＣＣは、前記サブピーク制御係数が減少するにつれて減少することを特徴とする請求項３０に記載の表示装置。
【請求項３２】
前記表示パネルの温度を検出する温度センサーと、
前記表示パネルの温度に基づいてサブピーク制御係数を決定し、前記サブピーク制御係数を前記映像処理部に提供するピーク制御部と、を更に備え、
前記フレームの映像特性が前記ピーク映像の場合、前記サブピーク制御係数は、前記表示パネルの温度が上昇するにつれて増加し、
前記ＰＣＣは、前記サブピーク制御係数が減少するにつれて減少することを特徴とする請求項３０に記載の表示装置。
【請求項３３】
前記フレームの映像特性が前記ピーク映像の場合、前記映像判断部は、前記Ｒ、Ｇ、Ｂ映像データに基づいて前記フレームの映像の彩度和を更に算出し、
前記彩度和と予め設定されたしきい値とを比較してサブピーク制御係数を決定するピーク制御部を更に備え、
前記フレームの映像特性が前記ピーク映像の場合、前記サブピーク制御係数は、前記フレームの映像の彩度和が増加するにつれて増加し、
前記ＰＣＣは、前記サブピーク制御係数が減少するにつれて減少することを特徴とする請求項３０に記載の表示装置。
【請求項３４】
前記表示パネルの周辺の照度を検出する照度センサーと、
前記表示パネルの周辺の照度に基づいて第１のサブピーク制御係数を決定し、前記第１のサブピーク制御係数を前記映像処理部に提供する第１のピーク制御部と、
前記表示パネルの温度を検出する温度センサーと、
前記表示パネルの温度に基づいて第２のサブピーク制御係数を決定し、前記第２のサブピーク制御係数を前記映像処理部に提供する第２のピーク制御部と、を更に備え、
前記フレームの映像特性が前記ピーク映像の場合、前記第１のサブピーク制御係数は、前記表示パネルの周辺の照度が増加するにつれて減少し、
前記フレームの映像特性が前記ピーク映像の場合、前記第２のサブピーク制御係数は、前記表示パネルの温度が上昇するにつれて増加し、
前記ＰＣＣは、前記第１のサブピーク制御係数又は前記第２のサブピーク制御係数が減少するにつれて減少することを特徴とする請求項３０に記載の表示装置。